(57)【要約】【課題】主表示画面、及び、補助表示画面を備える表示システムにおいて、煩雑な作業を介することなく、主表示画面、及び、補助表示画面を制御可能とする。【解決手段】表示システム１において、一人のユーザーが主表示画面４、及び、補助表示画面６を同時に視認可能に、主表示画面４、及び、補助表示画面６が配置され、主表示画面４に対するユーザーの状態を検出するシート状態検出部２７ａと、シート状態検出部２７ａによって検出されたユーザーの状態に基づいて、主表示画面４、及び、補助表示画面６の表示態様を制御する補助制御部２７と、を備えるようにした。【選択図】図２
2010145765.tif 000002
【特許請求の範囲】
【請求項１】
画像を表示する主表示画面、及び、補助表示画面を備え、一人のユーザーが前記主表示画面、及び、前記補助表示画面を同時に視認可能に、前記主表示画面、及び、前記補助表示画面が配置され、
前記主表示画面に対する前記ユーザーの状態を検出する状態検出部と、前記状態検出部によって検出された前記ユーザーの状態に基づいて、前記主表示画面、及び、前記補助表示画面の表示態様を制御する表示制御部と、を備えること、を特徴とする表示システム。
【請求項２】
前記状態検出部は、前記ユーザーが前記主表示画面を視認できないことを検出し、
前記表示制御部は、前記状態検出部によって、前記ユーザーが前記主表示画面を視認できないことが検出された場合、前記主表示画面の表示を停止するとともに、前記補助表示画面の表示態様を維持すること、を特徴とする請求項１に記載の表示システム。
【請求項３】
前記状態検出部は、前記ユーザーが前記主表示画面を視認できないことを検出し、
前記表示制御部は、前記状態検出部によって、前記ユーザーが前記主表示画面を視認できないことが検出された場合、前記主表示画面の表示を停止するとともに、前記主表示画面が表示していた画像を前記補助表示画面に表示すること、を特徴とする請求項１に記載の表示システム。
【請求項４】
前記状態検出部は、前記ユーザーが着座する座席の状態に基づいて、前記座席に着座した前記ユーザーが前記主表示画面を視認できないことを検出すること、を特徴とする請求項２又は３に記載の表示システム。
【請求項５】
前記ユーザーが前記座席に着座していないことを検出する離席検出部をさらに備え、
前記表示制御部は、前記離席検出部によって前記ユーザーが前記座席に着座していないことが検出された場合、前記主表示画面、及び、前記補助表示画面の表示を停止すること、を特徴とする請求項４に記載の表示システム。
【請求項６】
前記ユーザーの眼の位置を検出する眼部位置検出部をさらに備え、
前記状態検出部は、前記眼部位置検出部によって検出された前記ユーザーの眼の位置、及び、前記主表示画面の位置に基づいて、前記ユーザーが前記主表示画面を視認できないことを検出すること、を特徴とする請求項２又は３に記載の表示システム。
【請求項７】
前記ユーザーが睡眠中であることを検出する睡眠状態検出部をさらに備え、
前記表示制御部は、前記睡眠状態検出部によって前記ユーザーの睡眠が検出された場合、前記主表示画面、及び、前記補助表示画面の表示を停止すること、を特徴とする請求項１乃至６のいずれかに記載の表示システム。
【請求項８】
画像を表示する主表示画面、及び、補助表示画面を備え、一人のユーザーが前記主表示画面、及び、前記補助表示画面を同時に視認可能に、前記主表示画面、及び、前記補助表示画面が配置された表示システムの制御方法であって、
前記主表示画面に対する前記ユーザーの状態を検出し、検出した前記ユーザーの状態に基づいて、前記主表示画面、及び、前記補助表示画面の表示態様を制御すること、を特徴とする表示システムの制御方法。
【発明の詳細な説明】
【技術分野】
【０００１】
本発明は、主表示画面と補助表示画面とを備える表示システム、及び、この表示システムの制御方法に関する。
【背景技術】
【０００２】
従来、表示画面を２つ備える表示システムが知られている（例えば、特許文献１、及び、特許文献２参照）。このように２つの表示画面を備える表示システムでは、２つの表示画面の両方をユーザーが視認できる位置にこれら２つの表示画面を配置し、ユーザーがリモートコントローラーや、操作スイッチなどを操作して、これら２つの表示画面の表示を停止したり、表示する画像の内容を変更したりするものがある。
【特許文献１】特開２００８−３５７４号公報
【特許文献２】特開２００６−２９２８３６号公報
【発明の開示】
【発明が解決しようとする課題】
【０００３】
しかしながら、上述した表示システムでは、２つの表示画面の表示を停止したり、表示する画像の内容を変更したりする場合、ユーザーは、必ず、リモートコントローラーや操作スイッチなどを操作するという煩雑な作業をしなければならない、という問題があった。
本発明は、上述した事情に鑑みてなされたものであり、主表示画面、及び、補助表示画面を備える表示システムにおいて、煩雑な作業を介することなく、主表示画面、及び、補助表示画面を制御可能な表示システム、及び、表示システムの制御方法を提供することを目的とする。
【課題を解決するための手段】
【０００４】
上記目的を達成するために、本発明は、表示システムにおいて、画像を表示する主表示画面、及び、補助表示画面を備え、一人のユーザーが前記主表示画面、及び、前記補助表示画面を同時に視認可能に、前記主表示画面、及び、前記補助表示画面が配置され、前記主表示画面に対する前記ユーザーの状態を検出する状態検出部と、前記状態検出部によって検出された前記ユーザーの状態に基づいて、前記主表示画面、及び、前記補助表示画面の表示態様を制御する表示制御部と、を備えること、を特徴とする。
この構成によれば、主表示画面に対するユーザーの状態に応じて、自動で、主表示画面、及び、補助表示画面の表示態様が制御されるため、主表示画面、及び、補助表示画面の表示態様を、ユーザーによる煩雑な作業を介することなく、主表示画面に対するユーザーの状態に応じた表示態様に制御することができる。
【０００５】
ここで、上記発明の表示システムにおいて、前記状態検出部は、前記ユーザーが前記主表示画面を視認できないことを検出し、前記表示制御部は、前記状態検出部によって、前記ユーザーが前記主表示画面を視認できないことが検出された場合、前記主表示画面の表示を停止するとともに、前記補助表示画面の表示態様を維持するようにしてもよい。
この構成によれば、主表示画面がユーザーによって視認できないことが検出された場合、ユーザーによる煩雑な作業を介することなく、自動で、視認できない主表示画面の表示が停止されるため、ユーザーの利便性を向上できるとともに、省エネルギー化を図ることができる。
【０００６】
また、上記発明の表示システムにおいて、前記状態検出部は、前記ユーザーが前記主表示画面を視認できないことを検出し、前記表示制御部は、前記状態検出部によって、前記ユーザーが前記主表示画面を視認できないことが検出された場合、前記主表示画面の表示を停止するとともに、前記主表示画面が表示していた画像を前記補助表示画面に表示するようにしてもよい。
この構成によれば、主表示画面をユーザーが視認できないことが検出された場合、ユーザーによる煩雑な作業を介することなく、自動で、補助表示画面に、それまで主表示画面が表示していた画像を表示するため、主表示画面が視認できず、補助表示画面のみが視聴できる状態に至った場合であっても引き続き主表示画面が表示していた画像を視たいと考えるユーザーの利便性を向上することができる。
【０００７】
また、上記発明の表示システムにおいて、前記状態検出部は、前記ユーザーが着座する座席の状態に基づいて、前記座席に着座した前記ユーザーが前記主表示画面を視認できないことを検出するようにしてもよい。
この構成によれば、座席の状態に基づいて、座席に着座するユーザーが主表示画面を視認できないことを容易に検出することができる。
【０００８】
また、上記発明の表示システムにおいて、前記ユーザーが前記座席に着座していないことを検出する離席検出部をさらに備え、前記表示制御部は、前記離席検出部によって前記ユーザーが前記座席に着座していないことが検出された場合、前記主表示画面、及び、前記補助表示画面の表示を停止するようにしてもよい。
この構成によれば、ユーザーが座席に着座しておらず、従って、ユーザーが主表示画面、補助表示画面の両方を視ていない可能性が高い場合、自動で、前記主表示画面、及び、前記補助表示画面の表示を停止し、省エネルギー化を図ることができる。
【０００９】
また、上記発明の表示システムにおいて、前記ユーザーの眼の位置を検出する眼部位置検出部をさらに備え、前記状態検出部は、前記眼部位置検出部によって検出された前記ユーザーの眼の位置、及び、前記主表示画面の位置に基づいて、前記ユーザーが前記主表示画面を視認できないことを検出するようにしてもよい。
この構成によれば、ユーザーの眼と、主表示画面と相対的な位置関係に基づいて、好適に、ユーザーが主表示画面を視認できないことを検出することができる。
【００１０】
また、上記発明の表示システムにおいて、前記ユーザーが睡眠中であることを検出する睡眠状態検出部をさらに備え、前記表示制御部は、前記睡眠状態検出部によって前記ユーザーの睡眠が検出された場合、前記主表示画面、及び、前記補助表示画面の表示を停止するようにしてもよい。
この構成によれば、ユーザーが睡眠中に、主表示画面、及び、補助表示画面に表示がなされることを防止でき、省エネルギー化を図ることができる。
【００１１】
また、上記目的を達成するために、本発明は、画像を表示する主表示画面、及び、補助表示画面を備え、一人のユーザーが前記主表示画面、及び、前記補助表示画面を同時に視認可能に、前記主表示画面、及び、前記補助表示画面が配置された表示システムの制御方法であって、前記主表示画面に対する前記ユーザーの状態を検出し、検出した前記ユーザーの状態に基づいて、前記主表示画面、及び、前記補助表示画面の表示態様を制御すること、を特徴とする。
この制御方法によれば、主表示画面に対するユーザーの状態に応じて、自動で、主表示画面、及び、補助表示画面の表示態様が制御されるため、主表示画面、及び、補助表示画面の表示態様を、ユーザーによる煩雑な作業を介することなく、主表示画面に対するユーザーの状態に応じた表示態様に制御することができる。
【発明の効果】
【００１２】
本発明によれば、主表示画面に対するユーザーの状態に応じて、自動で、主表示画面、補助表示画面の少なくとも一方の表示態様が制御されるため、煩雑な作業を介することなく、主表示画面、及び、補助表示画面の制御が可能となる。
【発明を実施するための最良の形態】
【００１３】
以下、図面を参照して本発明の実施の形態について説明する。
＜第１実施形態＞
図１は、本実施形態に係る表示システム１の構成を示す図である。
図１に示すように、表示システム１は、デジタルテレビ放送に係る画像など各種画像を表示する主表示画面３を備える主表示装置４と、主表示画面３と同様に各種画像を表示する補助表示画面５を備える補助表示装置６と、を備えている。
【００１４】
補助表示装置６は、ユーザーが着座可能なリクライニングシート８（座席）にフレキシブルチューブ９を介して支持されている。このフレキシブルチューブ９は、リクライニングシート８に対する補助表示装置６の位置を所定の範囲内で変動可能な状態で、補助表示装置６を支持する。フレキシブルチューブ９の基端９ａは、リクライニングシート８においてリクライニングシート８に着座したユーザーの背中部分に対応する位置に設けられた背もたれ部１０の上部に接続されるとともに、その先端９ｂは、補助表示装置６と接続されている。ユーザーは、リクライニングシート８に着座した状態で、補助表示装置６を把持し、把持した補助表示装置６の位置を変動することにより、自身にとって最適な向きに補助表示画面５が向くように、補助表示装置６を配置することができる。
主表示装置４は、主表示画面３が、起立状態（後述）におけるリクライニングシート８に着座したユーザーによって視認可能な位置に配置されている。本実施形態では、主表示装置４は、リクライニングシート８が配置された部屋内において、リクライニングシート８の正面から数メートル程度離れた位置に、主表示画面３がリクライニングシート８に向かった状態で配置されている。
【００１５】
リクライニングシート８は、図１（Ａ）に示すように、着座したユーザーが、主表示画面３、及び、補助表示画面５の両方を視認できる起立状態と、図１（Ｂ）に示すように、着座したユーザーが、主表示画面３を視認できず、補助表示画面５のみを視認できるリクライニング状態の２つの状態に変動可能に構成されている。
具体的には、図１（Ａ）に示すように、起立状態においては、リクライニングシート８の背もたれ部１０が起立し、背もたれ部１０に背中を寄り掛からせたユーザーの上半身部が起立し、ユーザーの顔と主表示画面３とが対向し、これにより、主表示画面３をユーザーが視認可能となる。なお、図１（Ａ）に示すように、補助表示装置６は、背もたれ部１０と連動して動くため、リクライニングシート８が起立状態の場合、ユーザーは、補助表示画面５が自身の顔に向くように、補助表示装置６を配置することにより、補助表示画面５を視認することができる。
一方、図１（Ｂ）に示すように、リクライニング状態においては、背もたれ部１０が後方に倒れ、背もたれ部１０に背中を寄り掛からせたユーザーの上半身が倒れ、ユーザーの顔と主表示画面３とが対向せず、従って、主表示画面３をユーザーが視認できなくなる。なお、図１（Ｂ）に示すように、補助表示装置６は、背もたれ部１０と連動して動くため、リクライニング状態においても、ユーザーは、補助表示画面５を視認できる。
また、図１に示すように、リクライニングシート８の前方には、リクライニングシート８に着座したユーザーを撮影するカメラ装置１１が設けられている。カメラ装置１１については、後述する。
【００１６】
図２は、表示システム１の機能的構成を示すブロック図である。
図２に示すように、表示システム１が備える主表示装置４と、補助表示装置６とは、信号通信可能に接続されている。
図２に示すように、主表示画面３は、主制御部１３と、テレビ放送受信部１４と、ディスク再生部１５と、入力部１６と、受光部１７と、音声出力部１８と、主表示部１９と、主記憶部２０と、インターフェイス部２１と、を備えている。
主制御部１３は、主表示装置４の各部を中枢的に制御するものであり、演算実行部としてのＣＰＵや、このＣＰＵに実行される基本制御プログラムや、この基本制御プログラムに係るデータ等を不揮発的に記憶するＲＯＭ、ＣＰＵに実行されるプログラムやこのプログラムに係るデータ等を一時的に記憶するＲＡＭ、その他の周辺回路等を備えている。
テレビ放送受信部１４は、テレビチューナーを備え、主制御部１３の制御の下、アンテナを介して受信したテレビ放送信号から所定の放送チャンネルに係るテレビ映像信号や、テレビ音声信号などを取得して、これら信号を主制御部１３に出力する。
【００１７】
ディスク再生部１５は、ＤＶＤや、ＣＤ、ＭＤなどのディスク型記録媒体に記録されたデータを読み取り、読み取ったデータに係る映像信号や、音声信号などを主制御部１３に出力する。
入力部１６は、主表示装置４の筐体に設けられた操作スイッチなどの入力デバイスに接続され、ユーザーによる入力デバイスの操作を検出し、検出した操作に対応する操作信号を主制御部１３に出力する。
受光部１７は、リモートコントローラー２２が発した信号を受光し、受光した信号を主制御部１３に出力する。リモートコントローラー２２は、主表示装置４の電源のオン／オフや、受信するテレビ放送のチャンネルの変更を指示するための操作スイッチなどの入力デバイスを備え、ユーザーによる入力デバイスの操作を検出し、検出した操作に対応する操作信号を発光する。
【００１８】
音声出力部１８は、スピーカーに接続されており、デジタル音声信号をアナログ音声信号に変換するＤ／Ａコンバータや、主制御部１３の制御の下、音量レベルを変更するヴォリューム、アナログ音声信号を増幅するアンプ等を内蔵し、主制御部１３から入力されるデジタル音声信号に係る音声を、主制御部１３により指定された音量によってスピーカーから出力する。
主表示部１９は、液晶表示パネルからなる主表示画面３を備え、主表示画面３に、主制御部１３の制御の下、主制御部１３から入力される映像信号に係る画像を表示する。なお、主表示画面３を、有機ＥＬ（Electro Luminescence）パネル、プラズマディスプレーパネル、ＦＥＤ（Field Emission Display）パネル、ＳＥＤ（Surface-conduction Electron-emitter Display）パネル、ＬＥＤディスプレー、ＣＲＴ（Cathode Ray Tube）によって構成してもよい。
主記憶部２０は、磁気的、光学的記録媒体や、半導体記憶素子などを用いた記録装置を備え、各種データを記憶する。
インターフェイス部２１は、信号伝送ケーブルなどを介して補助表示装置６に接続され、主制御部１３の制御の下、補助表示装置６との間で各種信号を送受信する。
【００１９】
図２に示すように、補助表示装置６は、テレビ放送受信部２３と、ディスク再生部２４と、音声出力部２５と、インターフェイス部２６と、補助制御部２７と、タッチパネル２８と、補助表示部２９と、背もたれ部スイッチ３０と、シートスイッチ３１と、補助記憶部３２と、を備えている。テレビ放送受信部２３、ディスク再生部２４、音声出力部２５、及び、インターフェイス部２６の機能は、主表示装置４のテレビ放送受信部１４、ディスク再生部１５、音声出力部１８、及び、インターフェイス部２１の機能と同様のため、その説明を省略する。
補助制御部２７は、補助表示装置６の各部を中枢的に制御するものであり、主制御部１３と同様、演算実行部としてのＣＰＵや、このＣＰＵに実行される基本制御プログラムや、この基本制御プログラムに係るデータ等を不揮発的に記憶するＲＯＭ、ＣＰＵに実行されるプログラムやこのプログラムに係るデータ等を一時的に記憶するＲＡＭ、その他の周辺回路等を備えている。図２に示すように、補助制御部２７は、シート状態検出部２７ａ（状態検出部）と、離席検出部２７ｂと、睡眠状態検出部２７ｃと、を備えているが、これらについては、後述する。
タッチパネル２８は、補助表示画面５に重ねて配設され、ユーザーによるタッチ操作、及び、タッチ操作された操作位置を検出し、検出した操作位置を示す信号を補助制御部２７に出力する。
【００２０】
補助表示部２９は、有機ＥＬパネルからなる補助表示画面５を備え、補助表示画面５に、補助制御部２７の制御の下、補助制御部２７から入力される映像信号に係る画像を表示する。
ここで、有機ＥＬパネルは、バックライトを必要とせず、かつ、２枚のガラス基板によって液晶を挟み込む液晶表示パネルと異なり、基板が１枚で済み、液晶表示パネルと比較して、軽量、かつ、薄型に形成することが可能である。このため、補助表示画面５を有機ＥＬパネルによって構成することにより、補助表示装置６の軽量化かつ薄型化を図ることができる。上述したように、補助表示装置６は、フレキシブルチューブ９によってリクライニングシート８に支持されているが、補助表示装置６の軽量化を実現することにより、フレキシブルチューブ９にかかる負荷を軽減することができ、所望の補助表示画面５の向きを維持した状態でフレキシブルチューブ９によって確実に補助表示装置６を支持できるようになる。さらに、フレキシブルチューブ９の構造の単純化、及び、この単純化に伴うコストダウンを図ることができる。さらに、補助表示装置６の軽量化、及び、薄型化を実現することにより、リクライニングシート８に着座するユーザーによって、補助表示装置６が把持しやすく、かつ、把持した後にその位置を動かしやすくすることができ、ユーザーの利便性を向上することができる。
【００２１】
背もたれ部スイッチ３０は、リクライニングシート８が起立状態にあるか、リクライニング状態にあるかを検出するためのセンサーである。具体的には、背もたれ部スイッチ３０は、リクライニングシート８の内部における背もたれ部１０の回動の中心軸の近傍に配設されており、リクライニングシート８が起立状態となり、これに伴って、背もたれ部１０が起立した場合にオンとなり、リクライニングシート８がリクライニング状態となり、これに伴って、背もたれ部１０が倒れた場合にオフとなるスイッチ型センサーである。後述するシート状態検出部２７ａは、背もたれ部スイッチ３０がオンかオフかに基づいて、リクライニングシート８の状態を検出する。
シートスイッチ３１は、ユーザーがリクライニングシート８に着座しているか否かを検出するためのスイッチであり、具体的には、着座状態で乗員の体重により押圧されてオンとなるスイッチ型センサーである。後述する離席検出部２７ｂは、シートスイッチ３１がオンかオフかに基づいて、ユーザーが着席しているか離席しているかを検出する。
補助記憶部３２は、主記憶部２０と同様、磁気的、光学的記録媒体や、半導体記憶素子などを用いた記録装置を備え、各種データを記憶する。図２に示すように、補助記憶部３２には、表示制御テーブル３３が記憶されているが、これについては後述する。
【００２２】
図２に示すように、補助表示装置６には、インターフェイス部２６を介してカメラ装置１１が接続されている。
カメラ装置１１は、ＣＣＤイメージセンサーやＣＭＯＳイメージセンサー等の撮像素子、撮影レンズ群、ズームやフォーカス等の調整を行うためにレンズ群を駆動するレンズ駆動部などを備え、撮影を実行する撮影部と、この撮影部を制御する撮影制御部と、を備えている。撮影制御部は、撮影部が備える撮像素子から出力されるデータを所定形式のデータに変換し、撮影画像データとして補助表示装置６の補助制御部２７に出力する。
このカメラ装置１１は、例えば広角カメラを備え、少なくともリクライニングシート８に着座したユーザーの身体の全体を撮影できる位置に配置されている。
【００２３】
次いで、補助制御部２７が備えるシート状態検出部２７ａ、離席検出部２７ｂ、及び、睡眠状態検出部２７ｃについて説明する。なお、これらシート状態検出部２７ａ、離席検出部２７ｂ、及び、睡眠状態検出部２７ｃの機能は、ＣＰＵがＲＯＭに記憶されたプログラムを実行するなど、ソフトウェアとハードウェアの協働によって実現される。
シート状態検出部２７ａは、背もたれ部スイッチ３０がオンかオフかに基づいて、リクライニングシート８が起立状態にあるか、リクライニング状態にあるかを検出する。すなわち、シート状態検出部２７ａは、背もたれ部スイッチ３０がオンの場合、リクライニングシート８が起立状態であることを検出し、背もたれ部スイッチ３０がオフの場合、リクライニングシート８がリクライニング状態であることを検出する。このように、シート状態検出部２７ａは、リクライニングシート８が起立状態にあるか、リクライニングシート状態にあるかを検出しているが、これは、ユーザーが主表示画面３を視認できる状態（起立状態）にあるか、主表示画面３を視認できない状態（リクライニング状態）にあるかを検出していることに他ならない。
離席検出部２７ｂは、シートスイッチ３１がオンかオフかに基づいて、ユーザーがリクライニングシート８に着座しているか否かを検出する。すなわち、離席検出部２７ｂは、シートスイッチ３１がオンの場合、リクライニングシート８にユーザーが着座していることを検出し、シートスイッチ３１がオフの場合、リクライニングシート８にユーザーが離席していることを検出する。
【００２４】
睡眠状態検出部２７ｃは、ユーザーが睡眠中であるか否かを検出する。例えば、睡眠状態検出部２７ｃは、カメラ装置１１から入力された撮影画像データのサンプリングを行い、サンプリングした撮影画像データを分析し、この撮影画像データに写っているユーザーの顔の位置を示す顔領域を検出するとともに、検出した顔領域からユーザーの眼の位置を示す眼領域を検出する。顔領域の検出や、眼領域の検出は、顔や眼を表すテンプレートを用いたパターンマッチングなどの既存の技術を用いることができる。
さらに、睡眠状態検出部２７ｃは、検出した眼領域に対応する画像データを分析し、ユーザーが睡眠中であるか否かを検出する。例えば、睡眠状態検出部２７ｃは、眼を閉じた状態のテンプレートを用いたパターンマッチングや、白色検出による白目部分の検出などにより、ユーザーが眼を閉じていることを検出するとともに、眼領域を追跡し、ユーザーが眼を閉じている時間が所定の時間を超えた場合、ユーザーが睡眠中であると判別する。
【００２５】
図３は、補助記憶部３２が記憶する表示制御テーブル３３の構成を模式的に示す図である。
この表示制御テーブル３３は、リクライニングシート８の状態が変わった場合、具体的には、リクライニング状態から起立状態へ、又は、起立状態からリクライニング状態へと変わった場合に、補助制御部２７によって参照されるテーブルである。補助制御部２７は、表示制御テーブル３３の内容に従って、主表示画面３、及び、補助表示画面５の表示態様を制御する。
図３に示すように、表示制御テーブル３３の１件のレコードは、識別番号フィールド３３ａと、条件フィールド３３ｂと、主表示画面フィールド３３ｃと、補助表示画面フィールド３３ｄを含んでいる。
【００２６】
識別番号フィールド３３ａは、レコードごとに一意に付与される識別番号を示す識別番号データが記憶されるフィールドである。
条件フィールド３３ｂは、リクライニングシート８の状態を示すデータが記憶されるフィールドであり、本実施形態では、起立状態であることを示す起立状態データ（図３では「起立状態」と表示）、又は、リクライニング状態であることを示すリクライニング状態データ（図３では「リクライニング状態」と表示）が記憶される。補助制御部２７は、リクライニングシート８の状態が変わった場合、条件フィールド３３ｂに記憶されているデータを参照し、状態が変わった後のリクライニングシート８の状態を示すデータが記憶されているレコードを特定する。そして、補助制御部２７は、特定したレコードの後述する主表示画面フィールド３３ｃ、及び、補助表示画面フィールド３３ｄに記憶されているデータに基づいて、主表示画面３、及び、補助表示画面５の表示態様を制御する。
【００２７】
主表示画面フィールド３３ｃは、リクライニングシート８の状態が変わった場合において、補助制御部２７が主表示画面３の表示態様をどのように制御するかを示すデータが記憶されるフィールドであり、本実施形態では、主表示画面３の画像の表示を開始する旨を示すデータであるオンデータ（図３では「オン」と表示）、又は、主表示画面３の画像の表示を停止する旨を示すデータであるオフデータ（図３では「オフ」と表示）が記憶される。リクライニングシート８の状態が変わった場合において、補助制御部２７によって特定されたレコードの主表示画面フィールド３３ｃに記憶されたデータがオンデータである場合、補助制御部２７は、主表示画面３の画像の表示を開始し、一方、特定されたレコードの主表示画面フィールド３３ｃに記憶されたデータがオフデータである場合、補助制御部２７は、主表示画面３の画像の表示を停止する。
なお、上述したように、補助制御部２７と、主制御部１３とが信号通信可能に接続されており、補助制御部２７は、主制御部１３に制御信号を出力し、主制御部１３に主表示部１９を制御させて、主表示画面３の表示態様を制御する。
【００２８】
補助表示画面フィールド３３ｄは、リクライニングシート８の状態が変わった場合において、補助制御部２７が補助表示画面５の表示態様をどのように制御するかを示すデータが記憶されるフィールドであり、本実施形態では、表示態様を変更しない旨を示す継続表示データ（図３では「継続表示」と表示）が記憶される。リクライニングシート８の状態が変わった場合において、補助制御部２７によって特定されたレコードの補助表示画面フィールド３３ｄに記憶されたデータが継続表示データである場合、補助制御部２７は、補助表示画面５の表示態様を変更することなく、それまでの表示態様を継続する。
【００２９】
次いで、本実施形態において、表示制御テーブル３３に基づいて補助制御部２７によって行われる動作について、図３を用いて具体的に説明する。
リクライニングシート８がリクライニング状態から起立状態へ変わった場合、補助制御部２７は、表示制御テーブル３３の条件フィールド３３ｂを参照し、条件フィールド３３ｂに起立状態データが記憶されているレコードを特定する。図３では、識別番号がＡ１のレコード（以下、「レコードＡ１」という。以下、他のレコードについても同様に表現する。）が特定される。上述したように、リクライニングシート８が起立状態にある場合、リクライニングシート８に着座したユーザーは、主表示画面３、及び、補助表示画面５の両方を視認できる。次いで、補助制御部２７は、特定したレコードの主表示画面フィールド３３ｃ、及び、補助表示画面フィールド３３ｄを参照し、これらフィールドに記憶されているデータに基づいて、主表示画面３の画像の表示を開始するとともに、補助表示画面５については、それまでの表示態様を維持する。
【００３０】
すなわち、本実施形態では、リクライニングシート８の状態がリクライニング状態から起立状態へ変わった場合、主表示画面３の画像の表示が開始されるとともに、補助表示画面５については、それまでの表示態様が維持される。このような表示制御を行うことで、以下の効果を奏することができる。
リクライニングシート８が起立状態である場合、ユーザーは、主表示画面３、及び、補助表示画面５の両方を視認できる。従って、リクライニングシート８の状態がリクライニング状態から起立状態へと変わった場合、ユーザーが主表示画面３、及び、補助表示画面５の両方の画面を視認する意志を持ってリクライニングシート８を起立状態としたと考えられる。この場合、ユーザーによる操作スイッチや、リモートコントローラー２２の操作を待つことなく、自動で、主表示画面３の画像の表示を開始することによって、ユーザーの利便性を向上することができる。なお、リクライニングシート８がリクライニング状態であっても起立状態であっても、ユーザーは、補助表示画面５を視認することができるため、リクライニングシート８の状態が起立状態に変わった場合、それまでの補助表示画面５の表示態様が維持される。
【００３１】
一方、図３の表示制御テーブル３３のレコードＡ２が示すように、リクライニングシート８が起立状態からリクライニング状態へと変わった場合、主表示画面３の画像の表示が停止されるとともに、補助表示画面５については、それまでの表示態様が維持される。このような表示制御を行うことで、以下の効果を奏することができる。すなわち、リクライニングシート８がリクライニング状態である場合、ユーザーは、主表示画面３を視認できず、補助表示画面５のみを視認できる。従って、リクライニングシート８の状態が起立状態からリクライニング状態へと変わった場合、リクライニング状態においてユーザーから視認することのできない主表示画面３の画像の表示を、自動で、停止することによって、省エネルギー化を図ることができる。
【００３２】
図４は、表示システム１の動作を示すフローチャートである。
まず、表示システム１の補助表示装置６の補助制御部２７は、離席検出部２７ｂの検出値に基づいて、ユーザーがリクライニングシート８に着座しているか否かを判別する（ステップＳＡ１）。ユーザーがリクライニングシート８に着座していない場合（ステップＳＡ１：ＮＯ）、補助制御部２７は、主表示画面３、及び、補助表示画面５の画像の表示を停止する（ステップＳＡ２）。これは、離席中のユーザーは、主表示画面３、及び、補助表示画面５を視認していない可能性が高く、ユーザーが離席中に主表示画面３、及び、補助表示画面５に画像を表示させてもエネルギーの無駄使いであり、主表示画面３、及び、補助表示画面５の画像の表示を停止することによって省エネルギー化を図るためである。
ステップＳＡ１において、ユーザーがリクライニングシート８に着座している場合（ステップＳＡ１：ＹＥＳ）、補助制御部２７は、睡眠状態検出部２７ｃの検出値に基づいて、ユーザーが睡眠中であるか否かを判別する（ステップＳＡ３）。ユーザーが睡眠中である場合（ステップＳＡ３：ＹＥＳ）、補助制御部２７は、主表示画面３、及び、補助表示画面５の画像の表示を停止する（ステップＳＡ２）。これは、ユーザーが睡眠中に主表示画面３、及び、補助表示画面５に画像を表示させてもエネルギーの無駄使いであり、主表示画面３、及び、補助表示画面５の画像の表示を停止することによって省エネルギー化を図るためである。
【００３３】
ステップＳＡ３において、ユーザーが睡眠中ではない場合（ステップＳＡ３：ＮＯ）、補助制御部２７は、シート状態検出部２７ａの検出値に基づいて、リクライニングシート８の状態が変わったか否かを判別する（ステップＳＡ４）。リクライニングシート８の状態が変わっていない場合（ステップＳＡ４：ＮＯ）、補助制御部２７は、処理手順をステップＳＡ１に戻す。一方、リクライニングシート８の状態が変わった場合（ステップＳＡ４：ＹＥＳ）、補助制御部２７は、表示制御テーブル３３を参照し（ステップＳＡ５）、表示制御テーブル３３の内容に従って主表示画面３、補助表示画面５の表示態様を制御する（ステップＳＡ６）。本実施形態におけるステップＳＡ５、及び、ステップＳＡ６の処理を図３を用いて具体的に説明する。リクライニングシート８の状態がリクライニング状態から起立状態へと変わった場合、補助制御部２７は、図３のレコードＡ１を特定するとともに、レコードＡ１の主表示画面フィールド３３ｃ、及び、補助表示画面フィールド３３ｄのデータに基づいて、主表示画面３の画像の表示を開始するとともに、補助表示画面５については、それまでの表示態様を維持する。一方、リクライニングシート８の状態が起立状態からリクライニング状態へと変わった場合、補助制御部２７は、図３のレコードＡ２を特定するとともに、レコードＡ２の主表示画面フィールド３３ｃ、及び、補助表示画面フィールド３３ｄのデータに基づいて、主表示画面３の画像の表示を停止するとともに、補助表示画面５については、それまでの表示態様を維持する。
【００３４】
以上説明したように、本実施形態に係る表示システム１は、画像を表示する主表示画面３を有する主表示装置４、及び、補助表示画面５を有する補助表示装置６を備え、リクライニングシート８に着座したユーザーが主表示画面３、及び、補助表示画面５を同時に視認可能な状態で、主表示装置４、及び、補助表示装置６が配置されている。そして、リクライニングシート８の状態を検出することによって、主表示画面３に対するユーザーの状態を検出するシート状態検出部２７ａと、このシート状態検出部２７ａの検出値に基づいて、主表示画面３、及び、補助表示画面５の表示態様を制御する補助制御部２７（表示制御部）と、を備えている。
このため、主表示画面３に対するユーザーの状態に応じて、自動で、主表示画面３、及び、補助表示画面５の表示態様が制御されるため、主表示画面３、及び、補助表示画面５の表示態様を、ユーザーによる煩雑な作業を介することなく、主表示画面３に対するユーザーの状態に応じた表示態様に制御することができる。
【００３５】
また、本実施形態では、シート状態検出部２７ａは、リクライニングシート８の状態を検出することによって、ユーザーが主表示画面３を視認できないことを検出し、補助制御部２７は、シート状態検出部２７ａによって、ユーザーが主表示画面３を視認できないことが検出された場合、主表示画面３の表示を停止するとともに、補助表示画面５の表示態様を維持する。
このため、主表示画面３がユーザーによって視認できないことが検出された場合、ユーザーによる煩雑な作業を介することなく、自動で、主表示画面３の表示が停止されるため、ユーザーの利便性を向上できるとともに、省エネルギー化を図ることができる。
【００３６】
また、本実施形態では、シート状態検出部２７ａは、ユーザーが着座するリクライニングシート８の状態に基づいて、リクライニングシート８に着座したユーザーが主表示画面３を視認できないことを検出する。
このため、リクライニングシート８の状態に基づいて、リクライニングシート８に着座するユーザーが主表示画面を視認できないことを容易に検出することができる。
【００３７】
また、本実施形態では、ユーザーがリクライニングシート８に着座していないことを検出する離席検出部２７ｂをさらに備え、補助制御部２７は、離席検出部２７ｂによってユーザーがリクライニングシート８に着座していないことが検出された場合、主表示画面３、及び、補助表示画面５の表示を停止する。
このため、ユーザーがリクライニングシート８に着座しておらず、従って、ユーザーが主表示画面３、及び、補助表示画面５の両方を視ていない可能性が高い場合、自動で、主表示画面３、及び、補助表示画面５の表示を停止し、省エネルギー化を図ることができる。
【００３８】
また、本実施形態では、ユーザーが睡眠中であることを検出する睡眠状態検出部２７ｃをさらに備え、補助制御部２７は、睡眠状態検出部２７ｃによってユーザーの睡眠が検出された場合、主表示画面３、及び、補助表示画面５の表示を停止する。
このため、ユーザーが睡眠中に、主表示画面３、及び、補助表示画面５に表示がなされることを防止でき、省エネルギー化を図ることができる。
【００３９】
＜第２実施形態＞
次いで、第２実施形態について、図５を用いて説明する。
図５は、第２実施形態に係る表示制御テーブル３３の構成を模式的に示す図である。
第１実施形態と、本実施形態とでは、補助記憶部３２に記憶された表示制御テーブル３３に記憶されたデータのみが異なっている。具体的には、図５に示すように、レコードＢ２の補助表示画面フィールド３３ｄには、主表示画面３に表示されていた画像を補助表示画面５に表示する旨を示す切替表示データ（図５では、「切替表示」と表示）が記憶されている。従って、リクライニングシート８の状態が起立状態からリクライニング状態へと変わった場合、主表示画面３の画像の表示が停止されるとともに、補助表示画面５には、それまで主表示画面３に表示されていた画像が表示される。
ここで、ユーザーが起立状態のリクライニングシート８に着座し、主表示画面３を視ている場合において、一時的な休憩や、リラックスのため、リクライニングシート８を起立状態からリクライニング状態へと変えた場合、ユーザーは、引き続き、主表示画面３を視ていたいと思うことがある。
本実施形態では、リクライニングシート８が起立状態からリクライニング状態へと変わった場合は、ユーザーによる煩雑な作業を介することなく、自動で、補助表示画面５に、それまで主表示画面３が表示していた画像を表示するため、ユーザーの利便性を向上することができる。
【００４０】
＜第３実施形態＞
次いで、第３実施形態について、図６を用いて説明する。
図６は、第３実施形態に係る表示システム１の機能的構成を示すブロック図である。
本実施形態では、第１実施形態と異なり、補助制御部２７が、眼部位置検出部２７ｄ、及び、視認状態検出部２７ｅを備え、かつ、シート状態検出部２７ａを備えていない。
眼部位置検出部２７ｄは、ユーザーの眼の位置を検出するものである。具体的には、眼部位置検出部２７ｄは、例えば上述した睡眠状態検出部２７ｃで説明した方法と同様の方法によって、カメラ装置１１から入力された撮影画像データから、ユーザーの眼を検出し、検出した眼の領域を特定する。
視認状態検出部２７ｅ（状態検出部）は、眼部位置検出部２７ｄが検出したユーザーの眼の位置、及び、主表示画面３の位置に基づいて、ユーザーが主表示画面を視認できるか否かを検出する。例えば、予め補助記憶部３２に、撮影画像データの中のある領域Ｒの範囲内にユーザーの眼の領域が存在する場合、このユーザーによって主表示画面３を視認することができることを示す情報を備えるテーブルを記憶しておく。この領域Ｒは、人間の眼と、主表示画面３との相対的な位置関係に基づいて予め定められる。そして、視認状態検出部２７ｅは、表示画像データにおいて眼部位置検出部２７ｄが特定したユーザーの眼の領域が領域Ｒ内に存在することを検出することにより、ユーザーが主表示画面３を視認できることを検出し、ユーザーの眼の領域が領域Ｒ内に存在しないことを検出することにより、ユーザーが主表示画面３を視認できないことを検出する。
【００４１】
そして、第１実施形態では、シート状態検出部２７ａによってリクライニングシート８の状態が変わった場合に、補助制御部２７が主表示画面３、及び、補助表示画面５の表示態様を制御していたが、本実施形態では、視認状態検出部２７ｅの検出値に基づいて、ユーザーが主表示画面を視認できない状態から視認できる状態へと変わったと判別した場合や、視認できる状態から視認できない状態へと変わったと判別した場合に、補助制御部２７は、主表示画面３、及び、補助表示画面５の表示態様を制御する。具体的には、視認状態検出部２７ｅの検出値に基づいて、ユーザーが主表示画面を視認できない状態から視認できる状態へと変わったと判別した場合、補助制御部２７は、主表示画面３の画像の表示を開始し、補助表示画面５の表示態様を維持する。一方、ユーザーが主表示画面を視認できる状態から視認できない状態へと変わったと判別した場合、補助制御部２７は、主表示画面３の画像の表示を停止し、補助表示画面５の表示態様を維持する。
【００４２】
以上説明したように、本実施形態では、ユーザーの眼の位置を検出する眼部位置検出部２７ｄを備え、視認状態検出部２７ｅは、眼部位置検出部２７ｄによって検出されたユーザーの眼の位置、及び、主表示画面３の位置に基づいて、ユーザーが主表示画面３を視認できないことを検出する。他の制御、構成は、第１実施形態と同様である。
これにより、第１実施形態と同様の効果を得ることができるほか、ユーザーの眼の位置と、主表示画面３の位置との相対的な位置関係に基づいて、好適に、ユーザーが主表示画面３を視認できないことを検出することができる。
なお、第２実施形態に係る補助制御部２７が、シート状態検出部２７ａの代わりに、眼部位置検出部２７ｄ、及び、視認状態検出部２７ｅを備えるようにしてもよいことは勿論である。
【００４３】
なお、上述した実施の形態は、あくまでも本発明の一態様を示すものであり、本発明の範囲内で任意に変形および応用が可能である。
例えば、上述した実施形態に係る表示システム１では、補助制御部２７が、主表示画面３、及び、補助表示画面５の表示態様を制御していたが、例えば、主表示装置４、及び、補助表示装置６には画面に画像を表示する機能だけを持たせ、これら主表示装置４、及び、補助表示装置６を制御する中央制御装置を別に設けるようにしてもよい。そして、この中央制御装置が、主表示画面３、及び、補助表示画面５に対する表示制御のほか、上述したシート状態検出部２７ａや、離席検出部２７ｂ、睡眠状態検出部２７ｃなどの各機能を備えるようにしてもよい。
また、上述した実施形態では、リクライニングシート８が、起立状態、及び、リクライニング状態の２つの状態に変動可能であったが、リクライニングシート８の態様はこれに限らず、例えば、背もたれ部１０が複数の段階に変動可能であるとともに、ジャイロセンサーによって背もたれ部１０の角度を検出できる構成とし、検出した角度によって、ユーザーが主表示画面を視認できること、できないことを検出するようにしてもよい。
【００４４】
また、シート状態検出部２７ａ、及び、眼部位置検出部２７ｄの両方を備え、補助制御部２７が、シート状態検出部２７ａによって検出されたリクライニングシート８の状態、及び、眼部位置検出部２７ｄによって検出されたユーザーの眼の位置に基づいて、ユーザーが主表示画面３を視認でき、また、視認できないことを検出するようにしてもよい。
また、上述した実施形態では、ある１つの部屋に表示システム１が設けられた例を示したが、表示システム１の態様はこれに限らず、例えば、航空機の１つのシートにおいて、主表示装置４、及び、補助表示装置６が設置されている場合など、主表示装置４と、補助表示装置６とを備えるシステムに幅広く適用することができる。
【図面の簡単な説明】
【００４５】
【図１】本実施形態に係る表示システムの構成を示す図である。
【図２】表示システムの機能的構成を示すブロック図である。
【図３】表示制御テーブルの構成を模式的に示す図である。
【図４】表示システムの動作を示すフローチャートである。
【図５】第２実施形態に係る表示制御テーブルの構成を模式的に示す図である。
【図６】第３実施形態に係る表示システムの機能的構成を示すブロック図である。
【符号の説明】
【００４６】
１…表示システム、３…主表示画面、５…補助表示画面、８…リクライニングシート（座席）、２７…補助制御部（表示制御部）、２７ａ…シート状態検出部（状態検出部）、２７ｂ…離席検出部、２７ｃ…睡眠状態検出部、２７ｄ…眼部位置検出部、２７ｅ…視認状態検出部（状態検出部）。
【図１】
2010145765.tif 000003
【図２】
2010145765.tif 000004
【図３】
2010145765.tif 000005
【図４】
2010145765.tif 000006
【図５】
2010145765.tif 000007
【図６】
2010145765.tif 000008